(57)【要約】      （修正有）【課題】溶剤などを使用することなく、一枚の紙のみを使用して自立可能な容器を提供する。【解決手段】後面部が、底面部ならびに、後面部の両側部を介して前面部に接続し、後面部、底面部ならびに前面部の接続領域以外は切抜き領域となる一枚の紙状素材を折りたたむことで構成されるフィンガーフード用容器である。【選択図】図１
0003110340.tif 000002
【実用新案登録請求の範囲】
【請求項１】
後面部が、底面部ならびに、後面部の両側部を介して前面部に接続し、後面部、底面部ならびに前面部の前記接続領域以外は切抜き領域となる一枚の紙状素材を折りたたむことで構成されるフィンガーフード用容器であって、
前記折りたたみは、
前記前面部と、後面部との接続領域ならびに、前記底面部の略中央部分を折り目として第一回目の折りたたみを行い、
さらに、
前記前面部と後面部とを重ねた状態でその両側領域を前面部の中央領域側に折りたたむ第二回目の折りたたみを行い、
前記第二回目の折りたたみにて前記前面部の中央領域に折りたたまれた前記両側領域側に前記前面部の部分であって、前記両側領域によっていまだ重ねあわされていない領域を折りたたむ第三回目の折りたたみを行い、
以上の折りたたみによって生じる袋状領域を広げることで前記底面部により前記前面部ならびに後面部によって形成される容器壁に対して底を形成し、かつ前記切抜き領域が前記前面部ならびに後面部と、前記底面部とによってほぼなくなるようにする容器形成を行い、
形成されるフィンガーフード用容器。
【請求項２】
前記切抜き領域は、前記底面部側を底辺とし、前記接続領域側を頂点とする略二等辺三角形である請求項１に記載のフィンガーフード用容器。
【請求項３】
前記第二回目の折りたたみにより前記切抜き領域の前記略等辺が形成する線は、第一回の折りたたみにより前記底面部の略中央部分に形成された折り目により形成される線と、略平行の関係になる請求項１又は２に記載のフィンガーフード用容器。
【考案の詳細な説明】
【技術分野】
【０００１】
本件考案は、一枚の紙を折り重ねることによって形成されるフィンガーフード用容器に関する。
【背景技術】
【０００２】
従来、フライドポテト、からあげ、コロッケ等の食料品を収納する包装用容器は多種類のものが知られている。現在、環境問題に対応する必要にせまられ、地球に優しい材質の容器が求められている。
【非特許文献１】実開昭６０−１４２６８２
【考案の開示】
【考案が解決しようとする課題】
【０００３】
しかしながら、地球に優しい材料のみで自立可能な形状の容器を作ることは困難である。パルプを使用してコップを形成するためには、紙のみでなく各種の溶剤を使用することが必須となっている。
【課題を解決するための手段】
【０００４】
本件考案は、上記課題に鑑み、なされたものである。溶剤などを使用することなく、一枚の紙のみを使用して自立可能な容器を提供する技術に関する。
【０００５】
第一の考案は、後面部が、底面部ならびに、後面部の両側部を介して前面部に接続し、後面部、底面部ならびに前面部の前記接続領域以外は切抜き領域となる一枚の紙状素材を折りたたむことで構成されるフィンガーフード用容器であって、前記折りたたみは、前記前面部と、後面部との接続領域ならびに、前記底面部の略中央部分を折り目として第一回目の折りたたみを行い、さらに、前記前面部と後面部とを重ねた状態でその両側領域を前面部の中央領域側に折りたたむ第二回目の折りたたみを行い、前記第二回目の折りたたみにて前記前面部の中央領域に折りたたまれた前記両側領域側に前記前面部の部分であって、前記両側領域によっていまだ重ねあわされていない領域を折りたたむ第三回目の折りたたみを行い、以上の折りたたみによって生じる袋状領域を広げることで前記底面部により前記前面部ならびに後面部によって形成される容器壁に対して底を形成し、かつ前記切抜き領域が前記前面部ならびに後面部と、前記底面部とによってほぼなくなるようにする容器形成を行い、形成されるフィンガーフード用容器に関する。
【０００６】
第二の考案は、前記切抜き領域は、前記底面部側を底辺とし、前記接続領域側を頂点とする略二等辺三角形である第一の考案に記載のフィンガーフード用容器に関する。
【０００７】
第三の考案は、前記第二回目の折りたたみにより前記切抜き領域の前記略等辺が形成する線は、第一回の折りたたみにより前記底面部の略中央部分に形成された折り目により形成される線と、略平行の関係になる第一の考案又は第二の考案に記載のフィンガーフード用容器に関する。
【考案の効果】
【０００８】
本件考案によれば、溶剤などを使用することなく、一枚の紙のみを使用して自立可能なフィンガーフード用容器を提供することができる。また、シンプルな構造であるため、簡易な組み立てによってフィンガーフード用容器を形成することが可能となる。さらに、切抜き領域を有するので、底面部がテーブルなどの天板に略平行の面を形成でき、フィンガーフードを入れた状態で安定してフィンガーフード用容器を自立させることができる。
【考案を実施するための最良の形態】
【０００９】
以下に本件考案の実施形態を説明する。実施形態と、請求項との関係はおおむね次のようなものである。
【００１０】
実施形態１は、主に、請求項１、請求項２、請求項３などについて説明している。
【００１１】
以下に、図を用いて本考案の実施の形態を説明する。なお、本考案はこれら実施の形態に何ら限定されるものではなく、その要旨を逸脱しない範囲において、種々なる態様で実施しうる。
【００１２】
<<実施形態１>>
【００１３】
以下に、実施形態１について説明する。
【００１４】
<実施形態１の概念>
【００１５】
以下に、本実施形態のフィンガーフード用容器の概念を説明する。
【００１６】
本実施形態のフィンガーフード用容器は、一枚の紙を折り重ねることのみで、所定の構造強度を有する容器を形成することができる。
【００１７】
図１は、本実施形態のフィンガーフード用容器０１０１の概念を説明するための図である。フィンガーフード用容器は、シンプルな構造を有しており、組み立ても容易で、フィンガーフード０１０２を保持し、テーブルなどの天板０１０３上に自立させることができる。
【００１８】
<構成要件の明示>
【００１９】
以下に、本実施形態の構成を明示する。
【００２０】
なお、以下の説明においては、特に断らない限り、「容器」という表現を、本件考案の「フィンガーフード用容器」の意味で使用することとする。
【００２１】
図２に、本実施形態のフィンガーフード用容器の構成要件を明示する。図２は、フィンガーフード用容器を正面から見た一例を示す図である。フィンガーフード用容器は、後面部０２０１と、前面部０２０２と、底面部０２０３と、切抜き領域（後述する）と、からなる。また後面部は、両側部（後述する）を有する。
【００２２】
図３は、フィンガーフード用容器を平面上に展開したときに容器内面側から見た一例を示す展開図である。フィンガーフード用容器は、後面部０３０１と、前面部０３０２と、底面部０３０３と、切抜き領域０３０４、０３０５と、からなる。また後面部は、両側部０３０６、０３０７を有する。図３において、点線で示された部分は紙を折り曲げたときに折線の谷側になる部分を、一点鎖線で示された部分は山側になる部分を示す。（ただし、折り曲げた後は実線で示すものとする。以下、本明細書において同様。）なお、紙の折線で分割される領域のデザインを工夫することによって、折線にしたがって折り重ねることにより、完成した又は完成途上の容器のデザインを形成することができる。
【００２３】
図４は、フィンガーフード用容器を平面上に展開したときに容器外面側から見た一例を示す展開図である。図４において、フィンガーフード用容器は、後面部０４０１と、前面部０４０２と、底面部０４０３と、切抜き領域０４０４、０４０５と、からなる。また後面部は、両側部０４０６、０４０７を有する。なお、紙の折線で分割される領域のデザインを工夫することによって、折線にしたがって折り重ねることにより、完成した又は完成途上の容器のデザインを形成することができる。
【００２４】
<構成の説明>
【００２５】
以下に、本実施形態の構成要件を図３に基づいて説明する。
【００２６】
<構成要件の説明>
【００２７】
（後面部）、（前面部）、（底面部）、（両側部）
【００２８】
「後面部」０３０１とは、前面部０３０２との接続領域ならびに、底面部０３０３の略中央部分を折り目として第一回目の折りたたみを行うことにより、紙が二つの領域に分けられる他方の領域であり、フィンガーフード用容器の容器後面を形成する側の領域のことをいう（ただし、底面部は除く）。「前面部」０３０２とは、後面部０３０１との接続領域ならびに、底面部０３０３の略中央部分を折り目として第一回目の折りたたみを行うことにより、紙が二つの領域に分けられる他の一方の領域であり、フィンガーフード用容器の容器前面を形成する側の領域のことをいう（ただし、底面部は除く）。「底面部」０３０３とは、フィンガーフード用容器の底面を形成する領域のことをいう。なお、本実施形態においては、底面用折線は、想像上の線であってもよいし、貫通穴やエンボスを用いたミシン目であってもよい。ただし、底面用折線は、ミシン目であることが好ましい。貫通穴によるミシン目か、エンボスによるミシン目かは、内容物に応じて選択すればよい。固体の内容物に対しては貫通穴によるミシン目を、液体の内容物に対してはエンボスによるミシン目を選択すればよい。また、貫通穴は、フィンガーフードの表面の調味料の粉の粉形よりも小さいことが好ましい。貫通穴の径は、一例として、０．０５ｍｍから２ｍｍの各種の径が該当する。
【００２９】
また「紙」とは、フィンガーフードを保持できるだけの強度を有し、フィンガーフードと接触してもフィンガーフードを安全に食べられるような紙のことをいう。フィンガーフード用の紙には、フィンガーフードの有する油分や水分で変質したり、溶けたり、化学反応をおこして有害になったりしないような紙などが該当する。また、紙は、紙の表面にフィンガーフードの有する油分や水分で変質したり、溶けたり、化学反応をおこして有害になったりしないようなビニール等をコーティングしたものであっても良い。なお、コーティングは紙の両面であってもよいし、片面だけであってもよい。紙のサイズ、形状は、フィンガーフードに応じて自由に設計することができる。また「フィンガーフード」とは、指で掴んで食べられる程度の大きさを有する食べ物のことをいう。フィンガーフードには、からあげ、えびあげ、フライドポテト、コロッケ、ハンバーガー、チョコレート、プチパン、ドーナツ類、菓子類などが該当する。
【００３０】
（切抜き領域）
【００３１】
「切抜き領域」０３０４、０３０５とは、後面部０３０１と、前面部０３０２と、底面部０３０３とで囲まれ、一枚の紙状素材に設けられた中空の領域のことをいう。切抜き領域を設けることにより、一枚の紙状素材からフィンガーフード用容器を組み立てたときに、底面部がテーブルなどの天板と略平行な面状に形成され、フィンガーフードを入れた状態でフィンガーフード用容器を立てることが可能となる。切抜き領域の形状には、一例として、三角形、四角形（台形を含む）、その他多角形や曲線で形成される形状などが挙げられる。なお、切抜き領域の形状は、図３に示すように後面部と前面部との接続領域側を頂点とする略二等辺三角形であるように形成すれば、フィンガーフード用容器を組み立てたときに安定してテーブルなどの天板に自立させることができる。
【００３２】
（フィンガーフード用容器）
【００３３】
「フィンガーフード用容器」は、後面部が、底面部ならびに、後面部の両側部を介して前面部に接続し、後面部、底面部ならびに前面部の接続領域以外は切抜き領域となる一枚の紙状素材を折りたたむことで構成される。フィンガーフード用容器は、図３から図１２に示したように紙を折り曲げることにより、容易に形成される。以下に、図を参照しながらフィンガーフード用容器の折りたたみ方について説明する。
【００３４】
（第一回目の折りたたみ）
【００３５】
第一回目の折りたたみは、前面部と、後面部との接続領域ならびに、底面部の略中央部分を折り目として行う。図５、６は、第一回目の折りたたみを説明するための図である。
【００３６】
図５は、図３の状態の紙を、前面部と、後面部との接続領域ならびに、底面部の略中央部分を折り目として第一回目の折りたたみを行い、折り重ねたときの状態を前面部側から見た一例を示す図である。図５において、０５０１は前面部を、０５０２は底面部を、０５０３、０５０４は切抜き領域の辺の一部を、０５０５、０５０６は両側部を、示している。
【００３７】
図６は、図３の状態の紙を、前面部と、後面部との接続領域ならびに、底面部の略中央部分を折り目として第一回目の折りたたみを行い、折り重ねたときの状態を後面部側から見た一例を示す図である。図６において、０６０１は後面部を、０６０２は底面部を、０６０３、０６０４は切抜き領域の辺の一部を、０６０５、０６０６は両側部を、示している。
【００３８】
（第二回目の折りたたみ）
【００３９】
第二回目の折りたたみは、前面部と後面部とを重ねた状態でその両側領域を前面部の中央領域側に折りたたむことにより行う。図７、８、９、１０は、第二回目の折りたたみを説明するための図である。
【００４０】
図７は、図５の状態の紙を、前面部と後面部とを重ねた状態でその左側領域を前面部の中央領域側に折りたたみを行い、折り重ねたときの状態を前面部側から見た一例を示す図である。図７において、０７０１は前面部を、０７０２は底面部を、０７０３、０７０４は切抜き領域の辺の一部を、０７０５、０７０６は両側部を、示している。
【００４１】
図８は、図５の状態の紙を、前面部と後面部とを重ねた状態でその左側領域を前面部の中央領域側に折りたたみを行い、折り重ねたときの状態を後面部側から見た一例を示す図である。図８において、０８０１は後面部を、０８０２は底面部を、０８０３、０８０４は切抜き領域の辺の一部を、０８０５、０８０６は両側部を、示している。
【００４２】
図９は、図７の状態の紙を、その右側領域を前面部の中央領域側に折りたたみを行い、折り重ねたときの状態を前面部側から見た一例を示す図である。図９において、０９０１は前面部を、０９０２は底面部を、０９０３、０９０４は切抜き領域の辺の一部を、０９０５は両側部を、示している。
【００４３】
図１０は、図７の状態の紙を、その右側領域を前面部の中央領域側に折りたたみを行い、折り重ねたときの状態を後面部側から見た一例を示す図である。図１０において、１００１は後面部を、１００２は底面部を、１００３、１００４は切抜き領域の辺の一部を、示している。
【００４４】
なお、上記の説明では、左側領域を先に折りたたむように説明したが、右側領域を先に折りたたんでもよい。
【００４５】
（第三回目の折りたたみ）
【００４６】
第三回目の折りたたみは、第二回目の折りたたみにて前面部の中央領域に折りたたまれた両側領域側に前面部の部分であって、両側領域によっていまだ重ねあわされていない領域を折りたたむことによって行う。図１１、１２は、第三回目の折りたたみを説明するための図である。
【００４７】
図１１は、図９の状態の紙を、第二回目の折りたたみにて前面部の中央領域に折りたたまれた両側領域側に前面部の部分であって、両側領域によっていまだ重ねあわされていない領域の折りたたみを行い、折り重ねたときの状態を前面部側から見た一例を示す図である。図１１において、１１０１は前面部を、１１０２は後面部を、１１０３は底面部を、１１０４、１１０５は切抜き領域の辺の一部を、示している。
【００４８】
図１２は、図９の状態の紙を、第二回目の折りたたみにて前面部の中央領域に折りたたまれた両側領域側に前面部の部分であって、両側領域によっていまだ重ねあわされていない領域の折りたたみを行い、折り重ねたときの状態を後面部側から見た一例を示す図である。図１２において、１２０１は後面部を、１２０２は底面部を、１２０３、１２０４は切抜き領域の辺の一部を、示している。
【００４９】
第三回目の折りたたみによって、容器を膨らませたときに、容器開口部に生じる折り曲げ線が曲線形状となるので、第二回目の折りたたみによって折りたたんだ部分が元に戻ることが困難となる。したがって、前面部がバラけるのを防止できる。また、一枚の紙によって容器の強度を保つことができる。
【００５０】
なお、第二回目の折りたたみにより切抜き領域の略等辺が形成する線は、第一回の折りたたみにより底面部の略中央部分に形成された折り目により形成される線と、略平行の関係になるように形成すれば、フィンガーフード用容器を組み立てたときに安定してテーブルなどの天板に自立させることができる。
【００５１】
図１３は、上記略平行の関係の一例を説明するための図である。図１３は図９の状態を示している。図１３に示すように、切抜き領域の略等辺が形成する線１３０１、１３０２は、底面部の略中央部分に形成された折り目により形成される線１３０３と、は略平行の関係にある。
【００５２】
（袋状領域を広げる）
【００５３】
以上の折りたたみによって生じる袋状領域を広げることで底面部により前面部ならびに後面部によって形成される容器壁に対して底を形成し、かつ切抜き領域が前面部ならびに後面部と、底面部とによってほぼなくなるようにする容器形成を行い、図１に示したようなフィンガーフード用容器が形成される。
【００５４】
なお、上記説明では、フィンガーフード用容器の形状を保持するために糊等の接着剤を使用しないで形成したが、本実施形態は、もちろん糊等の接着剤を使用しても良い。この場合に使用する接着剤は、人体に無害で環境負荷を低減できる材質の接着剤を使用すれば良い。また、フィンガーフード用容器の形状を保持する手段としては、糊等の接着剤だけでなく、例えばシール、針なしホッチキス（登録商標）などのペーパーファスナーなどによって固定する手段であっても良い。また、フィンガーフード用容器を店舗などに保管する場合には、図１１の平面状の状態ですれば省スペース化できる。また、嵩張らないので配送コストも削減できる。なお、フィンガーフード用容器は、フィンガーフード用に限定されず、パッケージ用紙コップやマチなしパッケージに代わるもの、企画セット商品などとして使用することもできる。
【００５５】
図１４〜１９に、フィンガーフード用容器の六面図を示す。
【００５６】
図１４は、フィンガーフード用容器を前面部側から見た一例を示す略正面図である。
【００５７】
図１５は、フィンガーフード用容器を背面側から見た一例を示す略背面図である。
【００５８】
図１６は、フィンガーフード用容器を右側から見た一例を示す右側面図である。
【００５９】
図１７は、フィンガーフード用容器を左側から見た一例を示す左側面図である。
【００６０】
図１８は、フィンガーフード用容器を上側から見た一例を示す平面図である。
【００６１】
図１９は、フィンガーフード用容器を底面部側から見た一例を示す底面図である。
【００６２】
<実施形態１の効果の簡単な説明>
【００６３】
本実施形態のフィンガーフード用容器によれば、一枚の紙を折り重ねることのみで、所定の構造強度を有する容器を形成することができる。また、シンプルな構造であるため、簡易な組み立てによってフィンガーフード用容器を形成することが可能となる。さらに、切抜き領域を有するので、底面部がテーブルなどの天板に略平行の面を形成でき、フィンガーフードを入れた状態で安定して自立させることができる。
【００６４】
また、紙のサイズ・形状を自由に設計することができ、紙の材質もフィンガーフードに適したものを選択することにより、健康面、環境負荷を低減することができる。また、保管する場合には、フィンガーフード用容器を平面状にすることにより省スペース化を図ることができる。さらに、一枚の紙によってフィンガーフード用容器を形成することができるので、大量生産ならびに大量生産によるコスト削減をすることが可能である。
【産業上の利用可能性】
【００６５】
本件考案は、一枚の紙を折り重ねることによって形成される自立可能なフィンガーフード用容器に利用可能である。
【図面の簡単な説明】
【００６６】
【図１】概念図
【図２】正面図
【図３】容器内面側から見た展開図
【図４】容器外面側から見た展開図
【図５】第一回の折りたたみ後のフィンガーフード用容器（容器内面側から見た図）
【図６】第一回の折りたたみ後のフィンガーフード用容器（容器外面側から見た図）
【図７】第二回目の折りたたみ（その１）後のフィンガーフード用容器（容器内面側から見た図）
【図８】第二回目の折りたたみ（その１）後のフィンガーフード用容器（容器外面側から見た図）
【図９】第二回目の折りたたみ（その２）後のフィンガーフード用容器（容器内面側から見た図）
【図１０】第二回目の折りたたみ（その２）後のフィンガーフード用容器（容器外面側から見た図）
【図１１】第三回目の折りたたみ後のフィンガーフード用容器（容器内面側から見た図）
【図１２】第三回目の折りたたみ後のフィンガーフード用容器（容器外面側から見た図）
【図１３】略平行の関係を説明するための図
【図１４】正面図
【図１５】背面図
【図１６】右側面図
【図１７】左側面図
【図１８】平面図
【図１９】底面図
【符号の説明】
【００６７】
０１０１  フィンガーフード用容器
０１０２  フィンガーフード
０１０３  テーブルなどの天板
【図１】
0003110340.tif 000003
【図２】
0003110340.tif 000004
【図３】
0003110340.tif 000005
【図４】
0003110340.tif 000006
【図５】
0003110340.tif 000007
【図６】
0003110340.tif 000008
【図７】
0003110340.tif 000009
【図８】
0003110340.tif 000010
【図９】
0003110340.tif 000011
【図１０】
0003110340.tif 000012
【図１１】
0003110340.tif 000013
【図１２】
0003110340.tif 000014
【図１３】
0003110340.tif 000015
【図１４】
0003110340.tif 000016
【図１５】
0003110340.tif 000017
【図１６】
0003110340.tif 000018
【図１７】
0003110340.tif 000019
【図１８】
0003110340.tif 000020
【図１９】
0003110340.tif 000021